【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
通信の方法であって、
特定のデバイスにおいてトラフィックアドバタイズメントを生成することと、ここで、前記トラフィックアドバタイズメントは、デバイスのセットのうちの複数のデバイスへ前記特定のデバイスによって送信されるトラフィックデータのアベイラビリティを示し、ここにおいて、前記トラフィックデータは、前記複数のデバイスのうちの第１のデバイスに送信されるべき第１のデータと、前記複数のデバイスのうちの第２のデバイスに送信されるべき第２のデータとを含む、
前記特定のデバイスから、ページングウィンドウの間に前記トラフィックアドバタイズメントを送信することと、
前記ページングウィンドウの後に、前記特定のデバイスからトリガ要求を送信することと、ここにおいて、前記トリガ要求がユニキャストメッセージを含み、前記ユニキャストメッセージの宛先フィールドが前記第２のデバイスを示す、
前記トリガ要求に応答して、前記第２のデバイスからトリガメッセージをデータ送信ウィンドウの間に受信することと、
前記データ送信ウィンドウの間に、前記特定のデバイスから前記第１のデバイスへ前記第１のデータを送信することと、
前記第２のデバイスからの前記トリガメッセージの受信を検出したことに応答して、前記データ送信ウィンドウの間に前記特定のデバイスから前記第２のデバイスへ前記第２のデータを送信することと、
を備える、方法。
【請求項２】
前記第１のデータが、前記第１のデバイスから第１のトリガメッセージを受信したことに応答して前記第１のデバイスに送信される、請求項１に記載の方法。
【請求項３】
前記トリガメッセージが、節電ポール（ＰＳ−ＰＯＬＬ）メッセージ、サービス品質ヌル（ＱｏＳ＿ＮＵＬＬ）フレーム、逆方向グラント（ＲＤＧ）を示す前記ＱｏＳ＿ＮＵＬＬフレーム、アナウンスメントトラフィック指示メッセージ（ＡＴＩＭ）、およびアクションフレームのうちの少なくとも１つを含む、請求項１に記載の方法。
【請求項４】
前記トリガメッセージが逆方向グラント（ＲＤＧ）を含み、前記第２のデータが、前記第２のデータを送信する前に前記特定のデバイスが通信チャネルをめぐって競合することなく、前記通信チャネルを介して前記特定のデバイスから前記第２のデバイスに送信される、請求項１に記載の方法。
【請求項５】
前記トリガメッセージが、前記データ送信ウィンドウの間に、または前記ページングウィンドウの後および前記データ送信ウィンドウの前のトリガスロットの間に受信される、請求項１に記載の方法。
【請求項６】
前記第１のデバイスから前記特定のデバイスにおいて前記ページングウィンドウの間に第１の肯定応答（ＡＣＫ）を受信することをさらに備える、請求項１に記載の方法。
【請求項７】
前記トリガ要求がマルチキャストメッセージを含む、請求項１に記載の方法。
【請求項８】
前記第２のデバイスから前記ページングウィンドウの間に第２のＡＣＫを受信することなく、前記データ送信ウィンドウの間に前記特定のデバイスから前記第２のデバイスへ前記第２のデータを送信することをさらに備える、請求項１に記載の方法。
【請求項９】
前記トリガ要求が、節電ポール（ＰＳ−ＰＯＬＬ）メッセージ、アナウンスメントトラフィック指示メッセージ（ＡＴＩＭ）、送信要求（ＲＴＳ）フレーム、サービス品質ヌル（ＱｏＳ＿ＮＵＬＬ）フレーム、逆方向グラント（ＲＤＧ）を示す前記ＱｏＳ＿ＮＵＬＬフレーム、アクションフレーム、または別のメッセージを含む、請求項１に記載の方法。
【請求項１０】
第１の肯定応答（ＡＣＫ）が前記ページングウィンドウの間に前記第１のデバイスから受信されたと決定したことに応答して、前記第１のデータを前記特定のデバイスから前記第１のデバイスへ送信する前に、第１のトリガ要求を前記特定のデバイスから前記第１のデバイスへ送信するのを控えることをさらに備える、請求項１に記載の方法。
【請求項１１】
前記特定のデバイスが近隣認識ネットワーク（ＮＡＮ）データパスグループの提供者デバイスを備え、デバイスの前記セットが前記ＮＡＮデータパスグループの加入者デバイスのセットを備え、前記提供者デバイスがデータソースを備え、加入者デバイスの前記セットのうちの特定の加入者デバイスがデータシンクを備える、請求項１に記載の方法。
【請求項１２】
前記特定のデバイスが前記第１のデバイスへ送信すべき追加のデータを有するかどうかを示すモアトラフィックインジケータとともに、前記第１のデータが前記第１のデバイスに送信される、請求項１に記載の方法。
【請求項１３】
前記モアトラフィックインジケータが、前記第１のデータを含むパケットのヘッダのＭＯＲＥ  Ｄａｔａビット、前記ヘッダのサービス品質（ＱｏＳ）フィールドのサービス終了期間（ＥＯＳＰ）ビット、またはそれら両方に対応する、請求項１２に記載の方法。
【請求項１４】
前記第１のデバイスが、前記モアトラフィックインジケータに少なくとも一部基づいて、低電力動作モードに遷移するか、または、前記データ送信ウィンドウの残りの部分の間に別のネットワークに関するアクションを実行するかを決定する、請求項１２に記載の方法。
【請求項１５】
トラフィックアドバタイズメントを生成するように構成されたプロセッサと、ここで、前記トラフィックアドバタイズメントは、デバイスのセットのうちの複数のデバイスへインターフェースによって送信されるトラフィックデータのアベイラビリティを示し、ここにおいて、前記トラフィックデータは、前記複数のデバイスのうちの第１のデバイスに送信されるべき第１のデータと、前記複数のデバイスのうちの第２のデバイスに送信されるべき第２のデータとを含む、
前記インターフェースと
を備え、前記インターフェースが、
ページングウィンドウの間に前記トラフィックアドバタイズメントを送信することと、
前記ページングウィンドウの後にトリガ要求を送信することと、ここにおいて、前記トリガ要求がユニキャストメッセージを含み、前記ユニキャストメッセージの宛先フィールドが前記第２のデバイスを示す、
前記トリガ要求に応答して、前記第２のデバイスからトリガメッセージを受信することと、
データ送信ウィンドウの間に前記第１のデバイスへ前記第１のデータを送信することと、
前記第２のデバイスからの前記トリガメッセージの受信を検出したことに応答して、前記データ送信ウィンドウの間に前記第２のデバイスへ前記第２のデータを送信することと、
を行うように構成された、デバイス。
【請求項１６】
前記第１のデータが、前記第１のデバイスから第１のトリガメッセージを受信したことに応答して前記第１のデバイスに送信される、請求項１５に記載のデバイス。
【請求項１７】
前記インターフェースが、肯定応答（ＡＣＫ）が前記ページングウィンドウの間に受信されるかどうかとは無関係に、前記データ送信ウィンドウの第１の部分の間に通信チャネルを監視するようにさらに構成され、前記データ送信ウィンドウが前記ページングウィンドウに後続する、請求項１５に記載のデバイス。
【請求項１８】
命令を記憶するコンピュータ可読記憶デバイスであって、前記命令が、プロセッサによって実行されると、前記プロセッサに、
デバイスのセットのうちの複数のデバイスへ送信されるべきデータのアベイラビリティを示すトラフィックアドバタイズメントを生成することと、ここにおいて、前記データは前記複数のデバイスのうちの第１のデバイスへ送信されるべき第１のデータを含み、前記トラフィックアドバタイズメントはトリガ閾値を示す、
ページングウィンドウの間に、第１の時間において、前記トラフィックアドバタイズメントの送信を開始することと、
第２の時間において、前記第１の時間と前記第２の時間との間の差が前記トリガ閾値より大きいことと、前記トラフィックアドバタイズメントに応答するトリガメッセージの受信が検出されないこととを検出したこととに応答して、低電力動作モードへの遷移を開始すること、またはデータ送信ウィンドウの残りの部分の間に別のネットワークに関するアクションを実行することと
を備える動作を実行させる、コンピュータ可読記憶デバイス。
【請求項１９】
前記動作が、前記第１のデバイスからのトリガメッセージの受信を検出したことに基づいて、前記第１のデバイスからの前記トラフィックアドバタイズメントに応答する第１の肯定応答（ＡＣＫ）の受信を検出することとは独立に、前記データ送信ウィンドウの間に前記第１のデバイスへの前記第１のデータの送信を開始することをさらに備える、請求項１８に記載のコンピュータ可読記憶デバイス。
【請求項２０】
前記トリガ閾値が前記複数のデバイスの数に基づく、請求項１８に記載のコンピュータ可読記憶デバイス。
【請求項２１】
前記第１のデバイスへの前記第１のデータの送信が、前記トラフィックアドバタイズメントに応答する第２のＡＣＫがデバイスの前記セットの第２のデバイスから受信されたと決定したことに基づいて開始される、請求項１９に記載のコンピュータ可読記憶デバイス。
【請求項２２】
前記第２のＡＣＫが前記ページングウィンドウの間に受信され、前記トリガメッセージが前記データ送信ウィンドウの間に受信され、前記データ送信ウィンドウが前記ページングウィンドウに後続する、請求項２１に記載のコンピュータ可読記憶デバイス。
【請求項２３】
前記トラフィックデータが、前記複数のデバイスのうちの第２のデバイスへ送信されるべき第２のデータを含み、前記動作が、前記トラフィックアドバタイズメントに応答する第２の肯定応答（ＡＣＫ）が前記第２のデバイスから前記ページングウィンドウの間に受信されたと決定したことに基づいて、前記データ送信ウィンドウの間に前記第２のデバイスへの前記第２のデータの送信を開始することをさらに備える、請求項１８に記載のコンピュータ可読記憶デバイス。
【請求項２４】
前記第２のデバイスへの前記第２のデータの送信が、前記第２のデバイスから第２のトリガメッセージの受信を検出することとは独立に開始される、請求項２３に記載のコンピュータ可読記憶デバイス。
【請求項２５】
前記動作が、前記トラフィックアドバタイズメントに応答する肯定応答（ＡＣＫ）が前記ページングウィンドウの間に受信されないと決定したことに応答して、低電力動作モードへの遷移を開始することをさらに備える、請求項１８に記載のコンピュータ可読記憶デバイス。
【請求項２６】
前記動作が、前記データ送信ウィンドウの間に前記第１のデバイスへのトリガ要求の送信を開始することをさらに備え、前記トリガメッセージが前記トリガ要求に応答するものである、請求項１９に記載のコンピュータ可読記憶デバイス。
【請求項２７】
前記トリガメッセージが複数のデバイスから受信される複数のトラフィックアドバタイズメントに応答し、前記複数のトラフィックアドバタイズメントが前記トラフィックアドバタイズメントを含む、請求項１９に記載のコンピュータ可読記憶デバイス。
【請求項２８】
前記トリガメッセージがマルチキャストメッセージを含む、請求項１９に記載のコンピュータ可読記憶デバイス。
【請求項２９】
ページングウィンドウの間に、第１の時間において、トラフィックアドバタイズメントを送信するように構成されたインターフェースと、
プロセッサと
を備え、前記プロセッサは、
デバイスのセットのうちの複数のデバイスへ送信されるべきトラフィックデータのアベイラビリティを示す前記トラフィックアドバタイズメントを生成することと、ここにおいて、前記トラフィックデータは前記複数のデバイスのうちの第１のデバイスへ送信されるべき第１のデータを含み、前記トラフィックアドバタイズメントはトリガ閾値を示す、
第２の時間において、前記第１の時間と前記第２の時間との間の差が前記トリガ閾値より大きいことと、前記インターフェースが前記トラフィックアドバタイズメントに応答するトリガメッセージを受信しなかったこととを検出したことに応答して、低電力動作モードへの遷移を開始すること、またはデータ送信ウィンドウの残りの部分の間に別のネットワークに関するアクションを実行することと、
前記第１のデバイスからのトリガメッセージの受信を検出したことに応答して、前記第１のデバイスからの前記トラフィックアドバタイズメントに応答する肯定応答（ＡＣＫ）の受信を検出することとは独立に、前記データ送信ウィンドウの間に前記第１のデバイスへの前記第１のデータの送信を開始することと
を行うように構成された、デバイス。
【請求項３０】
前記トリガ閾値が前記複数のデバイスの数に基づく、請求項２９に記載のデバイス。
【手続補正２】
【補正対象書類名】明細書
【補正対象項目名】０６１８
【補正方法】変更
【補正の内容】
【０６１８】
[0667]開示された態様の上記の説明は、当業者が開示された態様を製作または使用することを可能にするために提供されている。これらの態様への様々な修正が当業者には容易に明らかになり、本明細書で定義された原理が、本開示の範囲から逸脱することなく他の態様に適用され得る。したがって、本開示は、本明細書に示された態様に限定されることを意図されておらず、以下の特許請求の範囲によって定義される原理および新規な特徴と一致する可能な最も広い範囲を与えられるべきである。
以下に、本願の出願当初の特許請求の範囲に記載された発明を付記する。
［Ｃ１］
通信の方法であって、
特定のデバイスにおいてトラフィックアドバタイズメントを生成することと、ここで、前記トラフィックアドバタイズメントは、デバイスのセットのうちの複数のデバイスへ前記特定のデバイスによって送信されるデータのアベイラビリティを示し、ここにおいて、前記データは、前記複数のデバイスのうちの第１のデバイスに送信されるべき第１のデータと、前記複数のデバイスのうちの第２のデバイスに送信されるべき第２のデータとを含む、
前記特定のデバイスから、ページングウィンドウの間に前記トラフィックアドバタイズメントを送信することと、
前記第１のデバイスから前記特定のデバイスにおいて前記ページングウィンドウの間に第１の肯定応答（ＡＣＫ）を受信することと、
前記第２のデバイスからトリガメッセージを受信することと、
データ送信ウィンドウの間に、前記特定のデバイスから前記第１のデバイスへ前記第１のデータを送信することと、
前記第２のデバイスからの前記トリガメッセージの受信を検出したことに応答して、前記第２のデバイスから前記ページングウィンドウの間に第２のＡＣＫを受信することなく、前記データ送信ウィンドウの間に前記特定のデバイスから前記第２のデバイスへ前記第２のデータを送信することと、
を備える、方法。
［Ｃ２］
前記第１のデータが、前記第１のデバイスから第１のトリガメッセージを受信したことに応答して前記第１のデバイスに送信される、Ｃ１に記載の方法。
［Ｃ３］
前記トリガメッセージが、節電ポール（ＰＳ−ＰＯＬＬ）メッセージ、サービス品質ヌル（ＱｏＳ＿ＮＵＬＬ）フレーム、逆方向グラント（ＲＤＧ）を示す前記ＱｏＳ＿ＮＵＬＬフレーム、アナウンスメントトラフィック指示メッセージ（ＡＴＩＭ）、アクションフレーム、または別のフレームのうちの少なくとも１つを含む、Ｃ１に記載の方法。
［Ｃ４］
前記トリガメッセージが逆方向グラント（ＲＤＧ）を含み、前記第２のデータが、前記第２のデータを送信する前に前記特定のデバイスが通信チャネルをめぐって競合することなく、前記通信チャネルを介して前記特定のデバイスから前記第２のデバイスに送信される、Ｃ１に記載の方法。
［Ｃ５］
前記トリガメッセージが、前記データ送信ウィンドウの間に、または前記ページングウィンドウの後および前記データ送信ウィンドウの前のトリガスロットの間に受信される、Ｃ１に記載の方法。
［Ｃ６］
前記データ送信ウィンドウの間に、または前記ページングウィンドウの後および前記データ送信ウィンドウの前のトリガスロットの間に、前記特定のデバイスからトリガ要求を送信することをさらに備え、前記トリガメッセージが前記トリガ要求に応答し、前記トリガメッセージが前記データ送信ウィンドウの間に受信される、Ｃ１に記載の方法。
［Ｃ７］
前記トリガ要求がマルチキャストメッセージを含む、Ｃ６に記載の方法。
［Ｃ８］
前記トリガ要求がユニキャストメッセージを含み、前記ユニキャストメッセージの宛先フィールドが前記第２のデバイスを示す、Ｃ６に記載の方法。
［Ｃ９］
前記トリガ要求が、節電ポール（ＰＳ−ＰＯＬＬ）メッセージ、アナウンスメントトラフィック指示メッセージ（ＡＴＩＭ）、送信要求（ＲＴＳ）フレーム、サービス品質ヌル（ＱｏＳ＿ＮＵＬＬ）フレーム、逆方向グラント（ＲＤＧ）を示す前記ＱｏＳ＿ＮＵＬＬフレーム、アクションフレーム、または別のメッセージを含む、Ｃ６に記載の方法。
［Ｃ１０］
前記第１のＡＣＫが前記ページングウィンドウの間に前記第１のデバイスから受信されたと決定したことに応答して、前記第１のデータを前記特定のデバイスから前記第１のデバイスへ送信する前に、第１のトリガ要求を前記特定のデバイスから前記第１のデバイスへ送信するのを控えることをさらに備える、Ｃ１に記載の方法。
［Ｃ１１］
前記特定のデバイスが近隣認識ネットワーク（ＮＡＮ）データパスグループの提供者デバイスを備え、デバイスの前記セットが前記ＮＡＮデータパスグループの加入者デバイスのセットを備え、前記提供者デバイスがデータソースを備え、加入者デバイスの前記セットのうちの特定の加入者デバイスがデータシンクを備える、Ｃ１に記載の方法。
［Ｃ１２］
前記特定のデバイスが前記第１のデバイスへ送信すべき追加のデータを有するかどうかを示すモアトラフィックインジケータとともに、前記第１のデータが前記第１のデバイスに送信される、Ｃ１に記載の方法。
［Ｃ１３］
前記モアトラフィックインジケータが、前記第１のデータを含むパケットのヘッダのＭＯＲＥ  Ｄａｔａビット、前記ヘッダのサービス品質（ＱｏＳ）フィールドのサービス終了期間（ＥＯＳＰ）ビット、またはそれら両方に対応する、Ｃ１２に記載の方法。
［Ｃ１４］
前記第１のデバイスが、前記モアトラフィックインジケータに少なくとも一部基づいて、低電力動作モードに遷移するか、または、前記データ送信ウィンドウの残りの部分の間に別のネットワークに関するアクションを実行するかを決定する、Ｃ１２に記載の方法。
［Ｃ１５］
命令を記憶するコンピュータ可読記憶デバイスであって、前記命令が、プロセッサによって実行されると、前記プロセッサに、
デバイスのセットのうちの複数のデバイスへ送信されるべきデータのアベイラビリティを示すトラフィックアドバタイズメントを生成することと、ここにおいて、前記データは前記複数のデバイスのうちの第１のデバイスへ送信されるべき第１のデータを含む、
ページングウィンドウの間に前記トラフィックアドバタイズメントの送信を開始することと、
前記第１のデバイスからのトリガメッセージの受信を検出したことに応答して、前記第１のデバイスからの前記トラフィックアドバタイズメントに応答する肯定応答（ＡＣＫ）の受信を検出することとは無関係に、データ送信ウィンドウの間に前記第１のデバイスへの前記第１のデータの送信を開始することと
を備える動作を実行させる、コンピュータ可読記憶デバイス。
［Ｃ１６］
前記トラフィックアドバタイズメントが第１の時間において送信され、前記動作が、第２の時間において、前記第１の時間と前記第２の時間との間の差がトリガ閾値より大きいことと、前記トラフィックアドバタイズメントに応答するトリガメッセージの受信が検出されないこととを検出したこととに応答して、低電力動作モードへの遷移を開始すること、または前記データ送信ウィンドウの残りの部分の間に別のネットワークに関するアクションを実行することをさらに備える、Ｃ１５に記載のコンピュータ可読記憶デバイス。
［Ｃ１７］
前記トラフィックアドバタイズメントが前記トリガ閾値を示す、Ｃ１６に記載のコンピュータ可読記憶デバイス。
［Ｃ１８］
前記トリガ閾値が前記複数のデバイスの数に基づく、Ｃ１６に記載のコンピュータ可読記憶デバイス。
［Ｃ１９］
前記第１のデバイスへの前記第１のデータの送信が、前記トラフィックアドバタイズメントに応答する第１のＡＣＫがデバイスの前記セットの第２のデバイスから受信されたと決定したことに基づいて開始される、Ｃ１５に記載のコンピュータ可読記憶デバイス。
［Ｃ２０］
前記第１のＡＣＫが前記ページングウィンドウの間に受信され、前記トリガメッセージが前記データ送信ウィンドウの間に受信され、前記データ送信ウィンドウが前記ページングウィンドウに後続する、Ｃ１９に記載のコンピュータ可読記憶デバイス。
［Ｃ２１］
前記データが、前記複数のデバイスのうちの第２のデバイスへ送信されるべき第２のデータを含み、前記動作が、前記トラフィックアドバタイズメントに応答する第１のＡＣＫが前記第２のデバイスから前記ページングウィンドウの間に受信されたと決定したことに基づいて、前記データ送信ウィンドウの間に前記第２のデバイスへの前記第２のデータの送信を開始することをさらに備える、Ｃ１５に記載のコンピュータ可読記憶デバイス。
［Ｃ２２］
前記第２のデバイスへの前記第２のデータの送信が、前記第２のデバイスから第２のトリガメッセージの受信を検出することとは独立に開始される、Ｃ２１に記載のコンピュータ可読記憶デバイス。
［Ｃ２３］
前記動作が、前記トラフィックアドバタイズメントに応答するＡＣＫが前記ページングウィンドウの間に受信されないと決定したことに応答して、低電力動作モードへの遷移を開始することをさらに備える、Ｃ１５に記載のコンピュータ可読記憶デバイス。
［Ｃ２４］
前記動作が、前記データ送信ウィンドウの間に前記第１のデバイスへのトリガ要求の送信を開始することをさらに備え、前記トリガメッセージが前記トリガ要求に応答するものである、Ｃ１５に記載のコンピュータ可読記憶デバイス。
［Ｃ２５］
前記トリガメッセージが複数のデバイスから受信される複数のトラフィックアドバタイズメントに応答し、前記複数のトラフィックアドバタイズメントが前記トラフィックアドバタイズメントを含む、Ｃ１５に記載のコンピュータ可読記憶デバイス。
［Ｃ２６］
前記トリガメッセージがマルチキャストメッセージを含む、Ｃ１５に記載のコンピュータ可読記憶デバイス。
［Ｃ２７］
通信の方法であって、
特定のデバイスにおいてトラフィックアドバタイズメントを生成することと、ここで、前記トラフィックアドバタイズメントは、複数のデバイスへ前記特定のデバイスによって送信されるべきデータのアベイラビリティを示す、
前記特定のデバイスから、ページングウィンドウの間に前記トラフィックアドバタイズメントを送信することと、
肯定応答（ＡＣＫ）が前記ページングウィンドウの間に受信されるかどうかとは無関係に、データ送信ウィンドウの第１の部分の間に通信チャネルを監視することと、ここで、前記データ送信ウィンドウは前記ページングウィンドウに後続する、
を備える、方法。
［Ｃ２８］
トリガメッセージが前記第１の部分の間に受信されないと決定したことに応答して、低電力動作モードに遷移し、または、前記データ送信ウィンドウの残りの部分の間に別のネットワークに関するアクションを実行することと、
前記第１の部分の間に前記複数のデバイスのうちの第１のデバイスからトリガメッセージを受信したことに応答して、前記データ送信ウィンドウの一部分の間に前記特定のデバイスから前記第１のデバイスへ第１のデータを送信することとをさらに備える、Ｃ２７に記載の方法。
［Ｃ２９］
複数のデバイスに送信されるべきデータのアベイラビリティを示すトラフィックアドバタイズメントを生成するための手段と、
ページングウィンドウの間に前記トラフィックアドバタイズメントを送信するための手段と、
肯定応答（ＡＣＫ）が前記ページングウィンドウの間に受信されるかどうかとは無関係に、データ送信ウィンドウの第１の部分の間に通信チャネルを監視するための手段と、ここで、前記データ送信ウィンドウは前記ページングウィンドウに後続する、
を備える、装置。
［Ｃ３０］
生成するための前記手段、送信するための前記手段、および監視するための前記手段が、通信デバイス、音楽プレーヤ、ビデオプレーヤ、エンターテインメントユニット、ナビゲーションデバイス、携帯情報端末（ＰＤＡ）、モバイルデバイス、コンピュータ、デコーダ、またはセットトップボックスのうちの少なくとも１つに組み込まれる、Ｃ２９に記載の装置。